(57)【要約】【課題】ホースの摺動性を向上させた水栓を提供する。【解決手段】本発明に係る水栓は、スパウトとホースと胴部と胴部の側方にレバーとを備え、胴部は、胴部の側壁を部分的に構成するとともに湯水混合カートリッジに連通する流路を内部に形成した通水部と、通水部を保持する保持部とを有し、通水部の底面には、給水管を接続する水流入口と、給湯管を接続する湯流入口とが形成され、通水部の側壁には、保持部の側壁よりも外側に向かって隆起し、湯水混合カートリッジを接続する凸部が形成され、凸部には、水流入口から供給される水を湯水混合カートリッジに導く水流出口と、湯流入口から供給される湯を湯水混合カートリッジに導く湯流出口と、湯水混合カートリッジで混合された混合水を通水部に戻す混合水流入口とが形成され、通水部の底面には、混合水流入口から供給される混合水をホースに導く混合水供給口が形成される。【選択図】図３
2019112895.tif 000002
【特許請求の範囲】
【請求項１】
吐水口を形成したスパウトと、前記スパウトに接続されるホースと、前記ホースを引き出し可能に収容して設置台に固定される筒状の胴部と、前記胴部の側方において、湯と水を混合する湯水混合カートリッジを回転させるレバーと、を備える水栓であって、
前記胴部は、前記胴部の側壁を部分的に構成するとともに前記湯水混合カートリッジに連通する流路を内部に形成した通水部と、前記通水部を保持する保持部と、を有し、
前記通水部の底面には、給水管を接続する水流入口と、給湯管を接続する湯流入口と、が形成され、
前記通水部の側壁には、前記保持部の側壁よりも外側に向かって隆起し、前記湯水混合カートリッジを接続する凸部が形成され、
前記凸部には、前記水流入口から供給される水を前記湯水混合カートリッジに導く水流出口と、前記湯流入口から供給される湯を前記湯水混合カートリッジに導く湯流出口と、前記湯水混合カートリッジで混合された混合水を前記通水部に戻す混合水流入口と、が形成され、
前記通水部の底面には、さらに、前記混合水流入口から供給される混合水を前記ホースに導く混合水供給口が形成される、水栓。
【請求項２】
前記通水部と前記保持部とは、分離して形成される、請求項１に記載の水栓。
【請求項３】
前記通水部は、金属により形成され、
前記保持部は、樹脂により形成される、請求項２に記載の水栓。
【請求項４】
前記保持部の上端において、前記通水部を取り付ける切欠きが設けられる、請求項２又は３に記載の水栓。
【請求項５】
前記通水部及び前記保持部を覆い、内側で前記通水部と前記湯水混合カートリッジとを接続させる筒状の外筒部を備える、請求項１から４のいずれか一項に記載の水栓。
【請求項６】
前記外筒部は、前記胴部の軸方向に延在する第１の筒部と、前記第１の筒部の側面から外側に延在して前記第１の筒部の内側と連通し、前記通水部の前記凸部及び前記湯水混合カートリッジが挿入され、前記第１の筒部と一体に形成される第２の筒部と、を有する、請求項５に記載の水栓。
【請求項７】
前記胴部の軸方向からの平面視で、前記保持部の内側には、前記通水部との間に、前記胴部の軸方向に前記ホースを通す空間が形成される、請求項１から６のいずれか一項に記載の水栓。
【発明の詳細な説明】
【技術分野】
【０００１】
本発明は、水栓に関する。
【背景技術】
【０００２】
従来の水栓として、様々な構成のものが知られている。例えば、台所や洗面所などで使用され、スパウトが引き出し可能なシングルレバー式の水栓が知られている（特許文献１参照）。特許文献１の水栓は胴部を有し、胴部は設置台に固定されホースを収容する。胴部の内部には流路が形成され、胴部の底面には流路に湯水を供給するための複数の管が取り付けられる。
【先行技術文献】
【特許文献】
【０００３】
【特許文献１】特開２００２−７１０４０号公報
【発明の概要】
【発明が解決しようとする課題】
【０００４】
しかしながら、従来の水栓において、胴部にはホースを含めて複数の管が接続されるため、ホースと管とが互いに干渉してホースの摺動性が低下するおそれがある。このため、特許文献１に開示される構成を含めて、ホースの摺動性を向上させるという観点において未だ改善の余地がある。
【０００５】
従って、本発明の目的は、前記課題を解決することにあって、ホースの摺動性を向上させた水栓を提供することにある。
【課題を解決するための手段】
【０００６】
上記目的を達成するために、本発明の一態様の水栓は、吐水口を形成したスパウトと、前記スパウトに接続されるホースと、前記ホースを引き出し可能に収容して設置台に固定される筒状の胴部と、前記胴部の側方において、湯と水を混合する湯水混合カートリッジを回転させるレバーと、を備える水栓であって、前記胴部は、前記胴部の側壁を部分的に構成するとともに前記湯水混合カートリッジに連通する流路を内部に形成した通水部と、前記通水部を保持する保持部と、を有し、前記通水部の底面には、給水管を接続する水流入口と、給湯管を接続する湯流入口と、が形成され、前記通水部の側壁には、前記保持部の側壁よりも外側に向かって隆起し、前記湯水混合カートリッジを接続する凸部が形成され、前記凸部には、前記水流入口から供給される水を前記湯水混合カートリッジに導く水流出口と、前記湯流入口から供給される湯を前記湯水混合カートリッジに導く湯流出口と、前記湯水混合カートリッジで混合された混合水を前記通水部に戻す混合水流入口と、が形成され、前記通水部の底面には、さらに、前記混合水流入口から供給される混合水を前記ホースに導く混合水供給口が形成される。
【発明の効果】
【０００７】
本発明に係る水栓によれば、ホースの摺動性を向上させることができる。
【図面の簡単な説明】
【０００８】
【図１】本発明の実施形態に係る水栓の斜視図
【図２】図１の水栓においてスパウトを引き出した状態の斜視図
【図３】図１の本体部の分解図
【図４】図３の通水部が保持部に取り付けられた状態を示す平面図
【図５】図４の底面図
【図６】図３の通水部の側面図
【発明を実施するための形態】
【０００９】
（本発明の基礎となった知見）
本発明者らは、ホースの摺動性を向上させるために鋭意検討した結果、以下の知見を得た。
【００１０】
従来の水栓において、胴部の側方には湯と水を混合する湯水混合カートリッジが接続され、湯水混合カートリッジを操作するレバーが取り付けられる。湯水混合カートリッジを胴部の側方に接続するために、胴部の側壁には凹部が形成される。凹部には複数の開口が設けられる。凹部の開口は胴部の内部に形成された流路と連通する。胴部の底面には、複数の開口が設けられる。底面の開口は、胴部の内部の流路と連通し、流路に湯水を供給するための複数の管を接続する。
【００１１】
しかしながら、従来の水栓においては、胴部に凹部が形成されるため、胴部の底面に設けられる開口は胴部の底面の内側（中心側）に形成される。このため、ホースが管と干渉し、ホースの摺動性が低下するおそれがある。
【００１２】
これに対して、本発明者らは、胴部の側壁に凸部を形成することで、胴部の底面の開口をより外側に形成できることを見出した。これにより、本発明者らは、ホースが管と干渉することを抑制でき、ホースの摺動性を向上させることができることを見出した。
【００１３】
これらの新規な知見に基づき、本発明者らは、以下の発明に至った。
【００１４】
以下に、本発明に係る実施形態を図面に基づいて詳細に説明する。なお、この実施形態によって本発明が限定されるものではない。
【００１５】
（実施形態）
図１、図２は、本発明の実施形態に係る水栓１の概略構成を示す図である。図１は、水栓１の斜視図である。図２は、水栓１において、後述するスパウト４０を引き出した状態の斜視図である。図３は、本体部１０の分解図である。
【００１６】
水栓１は、台所、洗面所などで使用されるシングルレバー式の水栓であって、スパウト４０を引き出し可能に構成する。図１、図２に示すように、水栓１は、本体部１０と、ホース３０と、スパウト４０と、レバー５０とを備える。
【００１７】
本体部１０は、設置台２に固定され、接続部１３を介してスパウト４０と接続する部材である。図３に示すように、本体部１０は、胴部１１と外筒部１２とを有する。胴部１１は、大略円筒状の部材であって、設置台２に固定されホース３０を引き出し可能に収容する。外筒部１２は、胴部１１を覆う筒状の部材である。
【００１８】
図１、２に示すように、胴部１１の下方には、給水管６０と、給湯管６１と、ホース管６２とが接続される。給水管６０は水を供給する供給管で、給湯管６１は湯を供給する供給管である。ホース管６２は、ホース３０と胴部１１とを接続する管材である。
【００１９】
本実施形態では、給水管６０、給湯管６１、及びホース管６２は、鉛直方向に直線状に形成され、胴部１１に接続される。給水管６０、給湯管６１、及びホース管６２の先端にはねじ山が形成され、胴部１１に螺合して接続される。
【００２０】
給水管６０、給湯管６１、及びホース管６２を屈曲させて形成した場合には、胴部１１に対して管を回転させにくいため、管は、例えばろう付けにより胴部１１に固定される。この場合と比べて、給水管６０、給湯管６１、及びホース管６２を直線状に形成し、胴部１１に螺合して接続する場合は、ろう付けが不要になり、簡単かつ低コストで管を胴部１１に接続することができる。
【００２１】
本体部１０の上方には、接続部１３が取り付けられる。接続部１３は、本体部１０とスパウト４０とを接続し、ホース３０を通す筒状の部材である。
【００２２】
ホース３０は、内部に水を通し、スパウト４０に接続される部材である。ホース３０は、本体部１０の内側及び下方に収容される。スパウト４０は、吐水を行う吐水口４１を先端部に形成した部材であって、接続部１３に対して着脱可能に取り付けられる。
【００２３】
図２に示すように、スパウト４０を接続部１３から引き出して使用するとき、スパウト４０は、接続部１３から取り外され、ホース３０と共に引き出される。このとき、スパウト４０は、本体部１０の下方に収容されたホース３０の長さに応じて、接続部１３から引き出される。
【００２４】
レバー５０は、吐水口４１からの吐水を制御するための部材である。レバー５０を操作することで、吐水量及び吐水温度の調節を行う。レバー５０は、胴部１１の側方に取り付けられる。これにより、レバー５０を本体部１０の上方に設けた場合とは異なるデザインにすることができる。
【００２５】
以下、本体部１０について詳細に説明する。
【００２６】
図３に示すように、本体部１０は、胴部１１及び外筒部１２に加えて、連結部材１４と、湯水混合カートリッジ１５とを有する。連結部材１４は、通水部１６と保持部１７とを連結する部材である。湯水混合カートリッジ１５は、湯と水を混合する部材である。連結部材１４及び湯水混合カートリッジ１５の詳細は後述する。
【００２７】
胴部１１は、通水部１６と、保持部１７とを有する。通水部１６は、内部に湯水が通る流路が形成された部材である。保持部１７は、通水部１６を保持する部材である。
【００２８】
保持部１７の下端部にはねじ山１７０が形成される。ねじ山１７０を介して、保持部１７は設置台２（図１，２）に対して螺合して固定される。保持部１７の上面には、取付孔１７１が設けられる。取付孔１７１は、外筒部１２及び後述する連結部材１４をねじで取り付けるための孔である。
【００２９】
本実施形態では、通水部１６と保持部１７とは、分離して形成される。これにより、通水部１６及び保持部１７を異なる材料で形成するなどして、胴部１１の設計の自由度を向上させることができる。
【００３０】
保持部１７の上端において切欠き１７２が設けられ、切欠き１７２に通水部１６が取り付けられる。通水部１６は、切欠き１７２に取り付けられた状態で、胴部１１の側壁を部分的に構成する。保持部１７は、胴部１１の残りの側壁を構成する。通水部１６は金属（例えば黄銅）により形成され、保持部１７は樹脂（例えばＰＰＳ樹脂）により形成される。
【００３１】
通水部１６の上面には、取付孔１６０が設けられる。取付孔１６０は、外筒部１２及び後述する連結部材１４をねじで取り付けるための孔である。
【００３２】
図４は、図３の通水部１６が保持部１７に取り付けられた状態を示す平面図である。図４に示すように、胴部１１の軸方向Ｄ１（図３）からの平面視で、保持部１７の内側には、通水部１６との間に、軸方向Ｄ１にホース３０（図１，２）を通す空間１８が形成される。これにより、通水部１６にホース３０を通すための貫通孔を形成しなくてもよいため、通水部１６を小さく形成することができる。このため、胴部１１において金属で形成する部分である通水部１６を減らすことができ、胴部１１の製造コストを抑制することができる。
【００３３】
図３に示すように、外筒部１２は、通水部１６及び保持部１７を覆う部材である。外筒部１２によって通水部１６及び保持部１７を覆うことで、通水部１６及び保持部１７を隠すことができるため、水栓１の意匠性を向上させることができる。また、外筒部１２の外形を変更することによって、水栓１の外観を容易に変更することができる。
【００３４】
外筒部１２は、通水部１６及び保持部１７を互いに位置決めする。具体的には、通水部１６を外筒部１２に挿入した後に、保持部１７を外筒部１２に挿入して、位置決めする。外筒部１２は、第１の筒部１２０と、第２の筒部１２１とを有する。
【００３５】
第１の筒部１２０は、軸方向Ｄ１に延在して形成される。第１の筒部１２０は天板１２２を有する。天板１２２は、保持部１７及び通水部１６の上面を覆う。
【００３６】
天板１２２には、軸方向Ｄ１に貫通した、複数の取付孔１２３ａ，１２３ｂ及びホース孔１２４が設けられる。取付孔１２３ａ，１２３ｂは、ねじを挿入する孔である。ホース孔１２４は、ホース３０を通す孔である。ホース孔１２４を通じて、空間１８（図４）をホース３０が通る。
【００３７】
取付孔１２３ａを通じて保持部１７の取付孔１７１に、ねじ（図示せず）が取り付けられる。さらに、取付孔１２３ｂを通じて通水部１６の取付孔１６０に、別のねじ（図示せず）が取り付けられる。
【００３８】
第２の筒部１２１は、第１の筒部１２０の側面から外側に延在して第１の筒部１２０の内側と連通して形成される。第２の筒部１２１には、湯水混合カートリッジ１５が挿入される。湯水混合カートリッジ１５を軸方向Ｄ１とは異なる方向Ｄ２から、外筒部１２の内側に挿入することができるため、第１の筒部１２０の外径を小さくしても湯水混合カートリッジ１５と通水部１６とを接続することができる。このため、第１の筒部１２０の外径を小さくすることができ、水栓１の意匠性を向上させることができる。
【００３９】
第１の筒部１２０と第２の筒部１２１とは一体に形成される。これにより、第１の筒部１２０と第２の筒部１２１との継ぎ目をなくすことができるため、美観及び清掃性を向上させることができる。
【００４０】
連結部材１４は、大略円柱状に形成される。連結部材１４には、軸方向Ｄ１に貫通した、複数の取付孔１４０ａ，１４０ｂ及びホース孔１４１が設けられる。取付孔１４０ａ，１４０ｂは、ねじを挿入する孔である。ホース孔１４１は、ホース３０を通す孔である。天板１２２のホース孔１２４及び連結部材１４のホース孔１４１を通じて、空間１８（図４）をホース３０が通る。
【００４１】
ねじ（図示せず）が連結部材１４の取付孔１４０ａに挿入され、天板１２２の取付孔１２３ａを通じて保持部１７の取付孔１７１に取り付けられる。これにより、連結部材１４に対して、保持部１７及び外筒部１２が固定される。
【００４２】
さらに、別のねじ（図示せず）が、連結部材１４の取付孔１４０ｂに挿入され天板１２２の取付孔１２３ｂを通じて通水部１６の取付孔１６０に取り付けられる。これにより、連結部材１４に対して、通水部１６及び外筒部１２が固定される。
【００４３】
すなわち、連結部材１４を介してねじ締結することで、設置台２（図１，２）に固定された保持部１７に対して通水部１６及び外筒部１２が固定される。
【００４４】
湯水混合カートリッジ１５は、湯と水を混合する部材である。湯水混合カートリッジ１５は、固定部１５０と、操作部１５１とを有する。固定部１５０は、通水部１６に固定される部材である。操作部１５１は、吐水量及び吐水温度の調節を行う部材であって、固定部１５０に取り付けられる。操作部１５１にはレバー５０（図１，２）が取り付けられ、レバー５０を操作することによって操作部１５１が操作される。
【００４５】
湯水混合カートリッジ１５は、側方から第２の筒部１２１に挿入される。湯水混合カートリッジ１５は、外筒部１２の内側で通水部１６と接続し、通水部１６の内部に形成された流路と連通する。固定部材２１を、固定部１５０を覆うように、側方から第２の筒部１２１に挿入し、通水部１６に螺合して固定する。これにより、湯水混合カートリッジ１５は、操作部１５１が移動可能な状態で通水部１６に固定される。
【００４６】
以下、通水部１６について詳細に説明する。図５は、図４の底面図である。図５に示すように、通水部１６の底面には、水流入口１６１と、湯流入口１６２と、混合水供給口１６３とが形成される。水流入口１６１、湯流入口１６２、及び混合水供給口１６３は、保持部１７の内周に沿って設けられる。水流入口１６１は給水管６０（図１，２）を直線状に接続し、湯流入口１６２は給湯管６１（図１，２）を直線状に接続し、混合水供給口１６３はホース管６２（図１，２）を直線状に接続する。ホース管６２は、ホース３０を胴部１１の下方に余らせた状態でホース３０（図１，２）と混合水供給口１６３とを接続する。
【００４７】
図４に示すように、通水部１６の側壁には凸部２０が形成される。凸部２０は、保持部１７の側壁よりも外側に向かって隆起して形成される。凸部２０の端面２００は、平坦に形成され、湯水混合カートリッジ１５（図３）と接続する。凸部２０の外周部には、固定部材２１を取り付けるためのねじ山２０１が形成される。
【００４８】
図５に示すように、通水部１６の側壁に凸部２０を形成することで、通水部１６の側壁を内側に凹ませた構成に比べて、水流入口１６１、湯流入口１６２、及び混合水供給口１６３を通水部１６の底面において、より外側に設けることができる。このため、通水部１６の下方において、図１，２に示す、給水管６０、給湯管６１、及びホース管６２を、より外側に配置することができ、ホース３０（図１，２）の摺動性を向上させることができる。また、凸部２０の端面２００が平坦に形成されることで、湯水混合カートリッジ１５とのシール性を向上させることができる。
【００４９】
図６は、図３の通水部１６の側面図である。図６に示すように、凸部２０の端面２００には、水流出口２０２と、湯流出口２０３と、混合水流入口２０４と、接続孔２０５とが形成される。
【００５０】
水流出口２０２と水流入口１６１（図５）との間には、流路２２が形成される。水流出口２０２は、水流入口１６１から供給される水を、流路２２を通じて、湯水混合カートリッジ１５（図３）に導く。同様に、湯流出口２０３と湯流入口１６２（図５）との間には、流路２３が形成される。湯流出口２０３は、湯流入口１６２から供給される湯を、流路２３を通じて、湯水混合カートリッジ１５に導く。同様に、混合水流入口２０４と混合水供給口１６３（図５）との間には、流路２４が形成される。混合水流入口２０４から供給される混合水は、流路２４及び混合水供給口１６３を通じてホース３０（図１，２）に導かれる。混合水流入口２０４は、湯水混合カートリッジ１５で混合された混合水を通水部１６に戻す。
【００５１】
接続孔２０５は、湯水混合カートリッジ１５の固定部１５０に設けられた突起（図示せず）と嵌合する孔である。固定部１５０の突起と接続孔２０５とが嵌合することで、固定部１５０が回転することを規制することができる。
【００５２】
以下、図３を用いて本体部１０の組み立て方法について説明する。まず、通水部１６を第１の筒部１２０の下方から挿入し、通水部１６の凸部２０を第１の筒部１２０の内側から第２の筒部１２１に挿入する。さらに、保持部１７を第１の筒部１２０の下方から挿入し、保持部１７の切欠き１７２に通水部１６を嵌める。
【００５３】
取付孔１４０ａにねじを挿入し、取付孔１２３ａを介して保持部１７の取付孔１７１に取り付けることで、連結部材１４によって、外筒部１２及び保持部１７を固定する。別のねじを、取付孔１４０ｂにねじを挿入し、取付孔１２３ｂを介して通水部１６の取付孔１６０に取り付けることで、連結部材１４によって、外筒部１２及び通水部１６を固定する。
【００５４】
さらに、湯水混合カートリッジ１５を外筒部１２の側方から第２の筒部１２１に挿入し、湯水混合カートリッジの突起を凸部２０の接続孔２０５に嵌める。さらに、固定部材２１を凸部２０のねじ山２０１に対して螺合して取り付ける。
【００５５】
以上のように本体部１０を組み立てることで、通水部１６が凸部２０を有する形状であっても、一体に形成された外筒部１２に対して容易に組み立てることができる。
【００５６】
上述したように、本実施形態に係る水栓１は、吐水口４１を形成したスパウト４０と、スパウト４０に接続されるホース３０と、ホース３０を引き出し可能に収容して設置台２に固定される筒状の胴部１１と、レバー５０とを備える。レバー５０は、胴部１１の側方において、湯と水を混合する湯水混合カートリッジ１５を回転させる。胴部１１は、胴部１１の側壁を部分的に構成するとともに湯水混合カートリッジ１５に連通する流路を内部に形成した通水部１６と、通水部１６を保持する保持部１７とを有する。通水部１６の底面には、給水管６０を接続する水流入口１６１と、給湯管６１を接続する湯流入口１６２とが形成され、通水部１６の側壁には、保持部１７の側壁よりも外側に向かって隆起し、湯水混合カートリッジ１５を接続する凸部２０が形成される。凸部２０には、水流出口２０２と、湯流出口２０３と、混合水流入口２０４とが形成される。水流出口２０２は、水流入口１６１から供給される水を湯水混合カートリッジ１５に導く。湯流出口２０３は、湯流入口１６２から供給される湯を湯水混合カートリッジ１５に導く。混合水流入口２０４は、湯水混合カートリッジ１５で混合された混合水を通水部１６に戻す。通水部１６の底面には、さらに、混合水流入口２０４から供給される混合水をホース３０に導く混合水供給口１６３が形成される。
【００５７】
この構成によれば、通水部１６の側壁に凸部２０を形成することで、通水部１６の側壁を内側に凹ませた構成に比べて、水流入口１６１、湯流入口１６２、及び混合水供給口１６３を通水部１６の底面において、より外側に設けることができる。このため、水流入口１６１に接続する給水管６０、湯流入口１６２に接続する給湯管６１、及び混合水供給口１６３に接続するホース管６２が、ホース３０と干渉することを抑制することができる。このため、ホース３０の摺動性を向上させることができる。また、水流入口１６１、湯流入口１６２、及び混合水供給口１６３を、通水部１６の底面において、より外側に設けることができる。このため、通水部１６に対して、給水管６０、給湯管６１、及びホース管６２を屈曲させずに、保持部１７の内周に沿わせながら直線状に接続することができる。このため、管を屈曲させる場合と異なり、ねじによる締結を行うことができ、ろう付けにより接続する場合と比べて、水栓１の製造コストを抑制することができる。また、レバー５０を胴部１１の側方に設けることで、水栓１の意匠性を向上させることができる。
【００５８】
また、通水部１６と保持部１７とは、分離して形成される。
【００５９】
この構成によれば、通水部１６と保持部１７とを分離して形成することで、通水部１６及び保持部１７を異なる材料で形成するなどして、胴部１１の設計の自由度を向上させることができる。
【００６０】
また、通水部１６は、金属により形成され、保持部１７は、樹脂により形成される。
【００６１】
この構成によれば、通水部１６を金属により形成することで、湯水混合カートリッジ１５、給水管６０、給湯管６１、及びホース管６２とのシール性を向上させることができる。保持部１７を樹脂により形成することで、胴部１１を全て金属で構成する場合と比べて、胴部１１において金属により形成する部分を減らすことができるため、胴部１１の製造コストを抑制することができる。また、保持部１７を容易に製造することができる。
【００６２】
また、保持部１７の上端において、通水部１６を取り付ける切欠き１７２が設けられる。
【００６３】
この構成によれば、通水部１６を保持部１７に容易に取り付けることができる。具体的には、通水部１６を外筒部１２に挿入した後に、保持部１７を外筒部１２に挿入して、位置決めすることができる。
【００６４】
また、水栓１は、外筒部１２をさらに備える。外筒部１２は、通水部１６及び保持部１７を覆い、内側で通水部１６と湯水混合カートリッジ１５とを接続させる筒状の部材である。
【００６５】
この構成によれば、外筒部１２によって通水部１６及び保持部１７を覆うことで、通水部１６及び保持部１７を隠すことができるため、水栓１の意匠性を向上させることができる。また、外筒部１２の外形を変更することによって、水栓１の外観を容易に変更することができる。また、外筒部１２により通水部１６及び保持部１７を互いに固定して保持することができる。
【００６６】
また、外筒部１２は、第１の筒部１２０と、第２の筒部１２１とを有する。第１の筒部１２０は、胴部１１の軸方向Ｄ１に延在する筒状の部材である。第２の筒部１２１は、第１の筒部１２０の側面から外側に延在して第１の筒部１２０の内側と連通する筒状の部材である。第２の筒部１２１には、通水部１６の凸部２０及び湯水混合カートリッジ１５が挿入される。第２の筒部１２１は、第１の筒部１２０と一体に形成される。
【００６７】
この構成によれば、湯水混合カートリッジ１５を軸方向Ｄ１とは異なる方向Ｄ２から、外筒部１２の内側に挿入することができるため、第１の筒部１２０の外径を小さくしても湯水混合カートリッジ１５と通水部１６とを接続することができる。このため、第１の筒部１２０の外径を小さくすることができ、水栓１の意匠性を向上させることができる。また、第１の筒部１２０と第２の筒部１２１とを一体に形成することで、第１の筒部１２０と第２の筒部１２１との継ぎ目をなくすことができるため、美観及び清掃性を向上させることができる。
【００６８】
また、胴部１１の軸方向Ｄ１からの平面視で、保持部１７の内側には、通水部１６との間に、胴部１１の軸方向Ｄ１にホース３０を通す空間１８が形成される。
【００６９】
この構成によれば、通水部１６にホース３０を通すための貫通孔を形成しなくてもよいため、通水部１６を小さく形成することができる。このため、胴部１１において金属で形成する部分を減らすことができ、胴部１１の製造コストを抑制することができる。また、ホース３０を通す空間１８を確保しつつ、水栓１の外径を小さくすることができる。
【００７０】
なお、本発明は前記実施形態に限定されるものではなく、その他種々の態様で実施できる。前記実施形態では、通水部１６と保持部１７とは、分離して形成されるとしたが、これに限定されない。例えば、通水部１６と保持部１７とは、一体に形成してもよい。この構成によっても、ホース３０の摺動性を向上させることができる。
【００７１】
また、給水管６０、給湯管６１、及びホース管６２は、胴部１１に螺合して接続するとしたが、これに限定されない。給水管６０、給湯管６１、及びホース管６２は、螺合とは異なる方法で胴部１１に接続してもよい。
【００７２】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００７３】
本発明は、スパウトが引き出し可能に構成され、側方にレバーを有するシングルレバー式の水栓などに有用である。
【符号の説明】
【００７４】
１  水栓
２  設置台
１０  本体部
１１  胴部
１２  外筒部
１２０  第１の筒部
１２１  第２の筒部
１２２  天板
１２３ａ，１２３ｂ  取付孔
１２４  ホース孔
１３  接続部
１４  連結部材
１４０ａ，１４０ｂ  取付孔
１４１  ホース孔
１５  湯水混合カートリッジ
１５０  固定部
１５１  操作部
１６  通水部
１６０  取付孔
１６１  水流入口
１６２  湯流入口
１６３  混合水供給口
１７  保持部
１７０  ねじ山
１７１  取付孔
１７２  切欠き
１８  空間
２０  凸部
２００  端面
２０１  ねじ山
２０２  水流出口
２０３  湯流出口
２０４  混合水流入口
２０５  接続孔
２１  固定部材
２２，２３，２４  流路
３０  ホース
４０  スパウト
４１  吐水口
５０  レバー
６０  給水管
６１  給湯管
６２  ホース管
【図１】
2019112895.tif 000003
【図２】
2019112895.tif 000004
【図３】
2019112895.tif 000005
【図４】
2019112895.tif 000006
【図５】
2019112895.tif 000007
【図６】
2019112895.tif 000008